(57)【要約】【課題】貫通孔内における電線の振れを確実に防ぐことが可能な防水コネクタを提供する。【解決手段】相手側の嵌合凹部１１に対してその後側の開口から嵌合されるハウジング２０と、前後方向に貫通する電線Ｗの外周面に密着するとともに嵌合凹部１１の内周面に密着して嵌合凹部１１の開口を止水するゴム栓３０と、端子金具８０が前後方向に挿通可能な貫通孔４１を有し、ハウジング２０およびゴム栓３０とともに嵌合凹部１１に嵌合する第１ホルダ４０と、貫通孔４１の後端開口を開放して貫通孔４１への端子金具８０の挿入を許容するとともに、ハウジング２０よりも外側に突出して嵌合凹部１１への嵌合が阻まれる仮係止位置と、貫通孔４１の後端開口を狭めて電線Ｗの振れを制限し、かつハウジング２０、ゴム栓３０および第１ホルダ４０とともに嵌合凹部１１に嵌合される本係止位置との間を移動可能とされた第２ホルダ６０と、を備えている。【選択図】図１
2016081665.tif 000002
【特許請求の範囲】
【請求項１】
電線の端末部に接続された端子金具が収容されるとともに相手側の嵌合凹部に対してその後側の開口から嵌合されるハウジングと、
前記ハウジングの後側に装着されて前記ハウジングとともに前記嵌合凹部に嵌合し、前後方向に貫通する前記電線の外周面および前記嵌合凹部の内周面に密着して前記嵌合凹部の開口を止水するゴム栓と、
前記ゴム栓の後側に装着され、前記端子金具が前後方向に挿通可能な貫通孔を有し、前記ハウジングおよび前記ゴム栓とともに前記嵌合凹部に嵌合する第１ホルダと、
前記第１ホルダの後側に装着され、前記貫通孔の後端開口を開放して前記貫通孔への前記端子金具の挿入を許容するとともに、前記ハウジングよりも外側に突出して前記相手側の前記嵌合凹部への嵌合が阻まれる仮係止位置と、前記貫通孔の後端開口を狭めて前記電線の振れを制限し、かつ前記ハウジング、前記ゴム栓および前記第１ホルダとともに前記嵌合凹部に嵌合される本係止位置との間を移動可能とされた第２ホルダと、
を備えた防水コネクタ。
【請求項２】
前記相手側が、前記嵌合凹部を複数有するフレームであり、
前記フレームの前記嵌合凹部に嵌合されるサブコネクタである請求項１に記載の防水コネクタ。
【発明の詳細な説明】
【技術分野】
【０００１】
本発明は、防水コネクタに関する。
【背景技術】
【０００２】
従来、電線の端末部に接続された端子金具が収容されるとともに相手側の嵌合凹部に対してその後側の開口から嵌合されるハウジングを有し、ハウジングの後側には、前後方向に貫通する電線の外周面に密着するとともに嵌合凹部の内周面に密着して嵌合凹部の開口を止水するゴム栓が装着された防水コネクタが知られている（例えば下記特許文献１に記載）。ゴム栓の後側には、ゴム栓を取り付け状態に保持するためのリアホルダが装着され、リアホルダはハウジングおよびゴム栓とともに嵌合凹部に嵌合される。リアホルダには、端子金具が前後方向に挿通可能な貫通孔が形成されている。
【先行技術文献】
【特許文献】
【０００３】
【特許文献１】特開２００２−１１０２８９号公報
【発明の概要】
【発明が解決しようとする課題】
【０００４】
ところで、リアホルダに設けられた貫通孔は、端子金具の通過を許容する大きさをなしているため、電線が挿通された状態であっても比較的大きな隙間が形成される。このため、防水コネクタから後方に引き出されている電線が屈曲すると、貫通孔内において電線が振れ、それに伴ってゴム栓のシール孔が変形する等し、シール性能が低下する虞がある。
【０００５】
本発明は上記のような事情に基づいて完成されたものであって、貫通孔内における電線の振れを確実に防ぐことが可能な防水コネクタを提供することを目的とする。
【課題を解決するための手段】
【０００６】
本発明の防水コネクタは、電線の端末部に接続された端子金具が収容されるとともに相手側の嵌合凹部に対してその後側の開口から嵌合されるハウジングと、前記ハウジングの後側に装着されて前記ハウジングとともに前記嵌合凹部に嵌合し、前後方向に貫通する前記電線の外周面および前記嵌合凹部の内周面に密着して前記嵌合凹部の開口を止水するゴム栓と、前記ゴム栓の後側に装着され、前記端子金具が前後方向に挿通可能な貫通孔を有し、前記ハウジングおよび前記ゴム栓とともに前記嵌合凹部に嵌合する第１ホルダと、前記第１ホルダの後側に装着され、前記貫通孔の後端開口を開放して前記貫通孔への前記端子金具の挿入を許容するとともに、前記ハウジングよりも外側に突出して前記相手側の前記嵌合凹部への嵌合が阻まれる仮係止位置と、前記貫通孔の後端開口を狭めて前記電線の振れを制限し、かつ前記ハウジング、前記ゴム栓および前記第１ホルダとともに前記嵌合凹部に嵌合される本係止位置との間を移動可能とされた第２ホルダと、を備えたものである。
【発明の効果】
【０００７】
本発明によれば、防水コネクタが嵌合凹部に嵌合されないことで、第２ホルダが仮係止位置に配されていることに気づくことができるので、相手側との誤嵌合を防止することができる。また、本係止位置に配された第２ホルダは貫通孔の後端開口を狭めて電線の振れを制限することから、貫通孔内における電線の振れを確実に防ぐことができる。
【図面の簡単な説明】
【０００８】
【図１】本実施例におけるサブコネクタがフレームの嵌合凹部に嵌合した状態を示す一部拡大断面図
【図２】第２ホルダが本係止位置に装着された状態を示す断面図
【図３】ハウジングを示す背面図
【図４】第１ホルダを示す正面図
【図５】第１ホルダを示す側面図
【図６】第１ホルダを示す平面図
【図７】第２ホルダを示す正面図
【図８】第２ホルダが仮係止位置に装着された状態を示す断面図
【図９】第２ホルダが仮係止位置に装着された状態を示す断面図であって、図８のＡ−Ａ位置における断面に相当する断面図
【図１０】第２ホルダが嵌合凹部の開口周縁部に突き当たった様子を示す一部拡大断面図
【図１１】第２ホルダが嵌合凹部の開口周縁部に突き当たった様子を示す一部拡大背面図
【発明を実施するための形態】
【０００９】
本発明の好ましい形態を以下に示す。
本発明の防水コネクタは、前記相手側が、前記嵌合凹部を複数有するフレームであり、前記フレームの前記嵌合凹部に嵌合されるサブコネクタであるものとしてもよい。
【００１０】
＜実施例＞
以下、本発明を具体化した一実施例について、図１〜図１１を参照しつつ詳細に説明する。
本実施例における防水コネクタは、フレーム１０に設けられた嵌合凹部１１に嵌合されるサブコネクタＣである。以下、各構成部材において、図１の左側を前方、右側を後方、上側を上方、下側を下方として説明する。
【００１１】
フレーム１０は合成樹脂製であって、その内部には、前後方向に開口する嵌合凹部１１が上下一対（図１では上側のみ示す）設けられている。嵌合凹部１１を後方から見ると、横方向に長い断面長円形状をなしている（図１１参照）。嵌合凹部１１の内周面における後端寄りの部分は、全周に亘ってゴム栓３０が密着可能なシール面１２とされている。嵌合凹部１１の内周面におけるシール面１２よりも前側には、サブコネクタＣを抜け止するための抜け止め部（図示せず）が設けられている。
【００１２】
サブコネクタＣは、嵌合凹部１１に対してその後側の開口から嵌合されるハウジング２０と、ハウジング２０の後側に装着されるゴム栓３０と、ゴム栓３０の後側に装着される第１ホルダ４０と、第１ホルダ４０の後側に装着される第２ホルダ６０とを備えている。ハウジング２０には、電線Ｗの端末部に接続された端子金具８０が収容される。
【００１３】
端子金具８０は金属製であり、全体として前後方向に細長い形状をなし、その前端部には前方に突出する細長いタブ部８１が備えられ、後端部には、電線Ｗの端末部に圧着される電線圧着部８２が備えられている。そして、タブ部８１と電線圧着部８２との間に設けられた端子本体部８３には、端子金具８０が上下方向において正しい向きでハウジング２０に挿入されるとハウジング２０に形成された溝部２１に入り込むスタビライザ８４が突設されている。このスタビライザ８４により、端子金具８０が上下方向において誤った向きでハウジング２０に挿入されることが阻まれるようになっている。
【００１４】
ハウジング２０は合成樹脂製であって、嵌合凹部１１にガタ付きなく嵌合し得る形状及び寸法を備えた横方向に長い長円形断面を有している（図３参照）。ハウジング２０の内部には、後方から端子金具８０が収容されるキャビティ２２が、上下２段にわけて設けられている。ハウジング２０の幅方向における両端部には、第１ホルダ４０に設けられた組み付けピン４５が係止可能な係止受け部２５が設けられている。
【００１５】
各キャビティ２２には、図９に示すように、端子金具８０に設けられたスタビライザ８４が入り込み可能な溝部２１が設けられ、溝部２１の前端部は、正規の位置に挿入された端子金具８０のスタビライザ８４に当接して端子金具８０を前止まり状態に保持するストッパ２３とされている。また、キャビティ２２には、端子金具８０の端子本体部８３に係止して端子金具８０の後方への抜け止めを図る樹脂ランス２４が設けられている。
【００１６】
ゴム栓３０は、ハウジング２０とともに嵌合凹部１１に嵌合し、嵌合凹部１１の開口を止水するものである。ゴム栓３０は、ハウジング２０の後面に対してその全体に亘って密着可能な略長円形断面を有する厚肉の板状をなし、その外周には、複数のリップ部３１が形成されている。このリップ部３１はハウジング２０の外面よりも外側へ突出しており、嵌合凹部１１のシール面１２に対して弾性的に潰された状態で水密状に密着する。
【００１７】
ゴム栓３０には、電線Ｗを貫通させるとともにその外周面に密着して同電線Ｗの周囲を止水するシール孔３２が形成されている。シール孔３２は、各キャビティ２２と対応する位置に設けられ、ゴム栓３０を前後方向に貫通している。また、ゴム栓３０には、第１ホルダ４０に設けられた組み付けピン４５（図４および図５参照）を水密状態に貫通させるための組み付けピン用孔（図示せず）が形成されている。
【００１８】
第１ホルダ４０は、ハウジング２０の後面と略同形の略長円形断面を有する厚板形状をなし、ハウジング２０およびゴム栓３０とともに嵌合凹部１１に嵌合するものとされている。第１ホルダ４０は、端子金具８０が前後方向に挿通可能な大きさをなす貫通孔（以下、第１貫通孔４１と称する）を有している。第１貫通孔４１は、ハウジング２０のキャビティ２２およびゴム栓３０のシール孔３２に対応する位置に設けられて第１ホルダ４０を前後方向に貫通している。第１貫通孔４１は、ハウジング２０のキャビティ２２と略同形の断面形状とされ、前後方向から見ると上下方向に長い長方形状をなしている（図４参照）。第１貫通孔４１は、ハウジング２０のキャビティ２２に対応して上下２段にわけて設けられている。以後、上段に並べられた第１貫通孔４１を上側貫通孔４１Ｕ、下段に並べられた第１貫通孔４１を下側貫通孔４１Ｓと称する。
【００１９】
第１貫通孔４１には、キャビティ２２の溝部２１と対応する位置に凹溝４２が設けられている。凹溝４２は、各第１貫通孔４１の幅方向（図４では左右方向）における略中央部に凹み形成されている。凹溝４２は、第１貫通孔４１の前後方向の全体にわたって延び、端子金具８０が上下方向において正しい向きで挿入されると、スタビライザ８４が凹溝４２に入り込んでその前進が許容される。凹溝４２は、上側貫通孔４１Ｕにおいてはその下面側に、下側貫通孔４１Ｓにおいてはその上面側に形成されている。
【００２０】
第１貫通孔４１の後端部には、図８および図９に示すように、第１貫通孔４１の開口幅を上方または下方に広げるように傾斜する開口傾斜部４４が設けられている。開口傾斜部４４は、上側貫通孔４１Ｕの後端部における上面側と、下側貫通孔４１Ｓの後端部における下面側とに設けられている。なお、上側貫通孔４１Ｕの開口傾斜部４４は、後述する上壁部４６に形成されている。
【００２１】
第１ホルダ４０には、ゴム栓３０を貫通してハウジング２０の係止受け部２５に係止し、ゴム栓３０および第１ホルダ４０を組み付け状態に保持する組み付けピン４５が設けられている。組み付けピン４５は、図６に示すように、第１ホルダ４０の前面においてその幅方向の両端部に一ずつ突設されている。組み付けピン４５のうちゴム栓３０内に配される部分は、組み付けピン用孔に密着可能な円柱形状をなしている。組み付けピン４５の突出端部には、ハウジング２０の係止受け部２５に係止する爪部４５Ｔが設けられている。
【００２２】
第１ホルダ４０のうち上側貫通孔４１Ｕの上側の壁部（以下、上壁部４６と称する）と、隣り合う上側貫通孔４１Ｕの間を仕切る仕切壁部の上側略半部分と、左右方向における両端部に配された上側貫通孔４１Ｕの外側の壁部の上側略半部分とは、他の部分（例えば下側貫通孔４１Ｓの後端開口）よりも後方に突出している（図８および図９参照）。
【００２３】
仕切壁部の突出部分（以下、仕切壁突部４７と称する）および外壁部の突出部分（以下、外壁突部４８と称する）の下側には、第２ホルダ６０のホルダ本体部６１が収容されるホルダ収容部４９が形成されている。
【００２４】
第１ホルダ４０の左右方向における両端に位置する側壁５1には、後述する仮係止爪７１Ｋが係止する仮係止受け部５２と、本係止爪７１Ｈが係止する本係止受け部５３とが形成されている。仮係止受け部５２および本係止受け部５３は、いずれも水平（第２ホルダ６０のスライド方向に対して略直角）な面を有し、仮係止受け部５２は本係止受け部５３よりも下側に位置している。
【００２５】
また、第１ホルダ４０の両側壁５1のうち仮係止受け部５２の上側には、本係止爪７１Ｈが下方から強く当接されると、本係止爪７１Ｈを内側にスムーズに変位させて本係止受け部５３に誘導するように傾斜する本係止誘導面５４が設けられている。
【００２６】
また、第１ホルダ４０の両側壁５1には、図２および図４に示すように、第２ホルダ６０の後方への離脱を防ぐ離脱防止部５５が設けられている。離脱防止部５５は、ホルダ収容部４９の後側に設けられた壁状をなしている。離脱防止部５５は、第１ホルダ４０の上側と下側とに設けられている。離脱防止部５５は、図２に示すように、本係止位置に配された第２ホルダ６０の係止片６８の上端部の後面および下端部の後面に係止する。
【００２７】
第１ホルダ４０の後側には、第１貫通孔４１の後端開口を開放して第１貫通孔４１への端子金具８０の挿入を許容する仮係止位置（図８および図９参照）と、第１貫通孔４１の後端開口を狭めて電線Ｗの振れを制限する本係止位置（図１および図２参照）との間を移動可能な第２ホルダ６０が装着されている。第２ホルダ６０は、ホルダ収容部４９に対して上下方向（嵌合凹部１１に対するサブコネクタＣの嵌合方向に対して略直角方向）にスライド移動可能とされている。
【００２８】
第２ホルダ６０は、図７に示すように、左右方向に長いホルダ本体部６１を有し、ホルダ本体部６１には、端子金具８０を前後方向に挿通可能な大きさを有する第２貫通孔６２が第１貫通孔４１に対応して１段に並んで設けられている。第２ホルダ６０がホルダ収容部４９に装着されると、第２貫通孔６２は、下側貫通孔４１Ｓと前後方向に連通する。第２貫通孔６２は、下側貫通孔４１Ｓの後端開口と略同形状をなし、その上面側には凹溝４２と対応して凹部７５が形成されている。
【００２９】
ホルダ本体部６１のうち第２貫通孔６２の上側の部分は、第２ホルダ６０が仮係止位置に配されているときには、図８に示すように、上側貫通孔４１Ｕよりも下側に位置してすべての上側貫通孔４１Ｕの全体を後方に開放し、第２ホルダ６０が本係止位置に配されているときには、図２に示すように、上側貫通孔４１Ｕの後側を塞ぐように上方に進出して上側貫通孔４１Ｕの後端開口を狭める上側閉塞部６３とされている。
【００３０】
また、ホルダ本体部６１のうち第２貫通孔６２の下側の部分は、第２ホルダ６０が仮係止位置に配されているときには、図８に示すように、下側貫通孔４１Ｓよりも下側に位置してすべての下側貫通孔４１Ｓの全体を後方に開放し、第２ホルダ６０が本係止位置に配されているときには、図２に示すように、下側貫通孔４１Ｓの後側を塞ぐように上方に進出して下側貫通孔４１Ｓの後端開口を狭める下側閉塞部６４とされている。
【００３１】
上側閉塞部６３および下側閉塞部６４は、図２に示すように、第２ホルダ６０が本係止位置に配されているときには、いずれも各第１貫通孔４１の下側略半分を塞ぐものとされている。また、上側閉塞部６３および下側閉塞部６４は、図８に示すように、第２ホルダ６０が仮係止位置に配されているときには、いずれも第１貫通孔４１の凹溝４２および開口傾斜部４４を含む全体を開放するものとされている。
【００３２】
ホルダ本体部６１の上面は、図２に示すように、第２ホルダ６０が本係止位置に配されると、第１ホルダ４０の仕切壁突部４７および外壁突部４８の下端に当接して第２ホルダ６０の上方への変位を制限する上側変位制限部６５とされている。上側変位制限部６５は、第２ホルダ６０のスライド方向に対して略直角をなす平坦な面とされている。上側変位制限部６５は、全ての仕切壁突部４７および外壁突部４８の下端に当接する。
【００３３】
ホルダ本体部６１の下端部には、図１に示すように、第２ホルダ６０が本係止位置に配されているときには第１ホルダ４０の下面よりも上側（外周面よりも内側）に配され、第２ホルダ６０が仮係止位置に配されているきには、図９に示すように、第１ホルダ４０の下面よりも下側（外周面よりも外側）に突出して配される突出部６６が設けられている。第２ホルダ６０が本係止位置に保持されているときには、図１に示すように、突出部６６の下面（突出面）が第１ホルダ４０の下面およびハウジング２０の下面と上下方向にずれることなく揃って配される。突出部６６は、図７に示すように、ホルダ本体部６１の下面のほぼ全体にわたって設けられ、第２ホルダ６０の下面の左右方向における両端部には、突出部６６の突出寸法分に相当する段差部６７が形成されている。
【００３４】
また、ホルダ本体部６１の左右方向における両端部には、第１ホルダ４０に係止する係止片６８が設けられている。各係止片６８は、ホルダ本体部６１の下端部付近（第２貫通孔６２の形成部位よりも下側）から上方に延びる片持ち状をなし、左右方向（図２のサブコネクタＣの長手方向）に弾性変位可能とされている。
【００３５】
各係止片６８は、自然状態においてホルダ本体部６１の側面と略平行をなして延びる延出部６９と、延出部６９の上端部に設けられた２つの係止爪７１とを有している。各係止爪７１はいずれも延出部６９から外側に突出し、その下面が係止面７２とされている。係止面７２は、延出部６９に対して略直角に切り立つ（第２ホルダ６０の移動方向に対して略直角をなす）面とされている。
【００３６】
各係止片６８に設けられた２つの係止爪７１のうち上側の係止爪７１は、第１ホルダ４０の本係止受け部５３に係止して第２ホルダ６０を本係止位置に保持する本係止爪７１Ｈ、下側の係止爪７１は、第１ホルダ４０の仮係止受け部５２に係止して第２ホルダ６０を仮係止位置に保持する仮係止爪７１Ｋとされている。本係止爪７１Ｈの突出寸法は、仮係止爪７１Ｋの突出寸法よりも大きく、本係止爪７１Ｈの係止面７２は、仮係止爪７１Ｋの係止面７２の約２倍の大きさとされている。
【００３７】
また、各係止爪７１の上面には、それぞれの上端から下方に向けて各係止爪７１の突出寸法を少しずつ増す傾斜をなして、各係止爪７１が各受け部５２，５３に係止する際の係止片６８の撓み動作を誘導する撓み誘導面７４が形成されている。なお、各係止片６８の上端部における内側（係止爪７１の突出方向とは反対側）には、その上端に向けて外側に傾く傾斜をなす傾斜面７３が形成されている。
【００３８】
次に、サブコネクタＣの組み付け作業の一例を説明する。
まず、ハウジング２０にゴム栓３０および第１ホルダ４０を装着する。ハウジング２０の後側にゴム栓３０を密着させるようにして配置し、ゴム栓３０を後方から挟むようにして第１ホルダ４０をハウジング２０に組み付ける。このとき、第１ホルダ４０の組み付けピン４５をゴム栓３０の組み付けピン用孔に貫通させるとともに、ハウジング２０の係止受け部２５に係止させる。これにより、ゴム栓３０はハウジング２０と第１ホルダ４０とに密着した状態で保持される。
【００３９】
次いで、第２ホルダ６０を仮係止位置に装着する（図８および図９参照）。第２ホルダ６０をホルダ収容部４９に対して下方から組み付けると、本係止爪７１Ｈの撓み誘導面７４の傾斜によって係止片６８がホルダ収容部４９の側壁５1の内側に弾性撓みして上方に押し込まれ、第２ホルダ６０が仮係止位置に至ると係止片６８が外側に弾性復帰して仮係止爪７１Ｋが仮係止受け部５２に係止することで、第２ホルダ６０の下方への変位が制限される。また、本係止爪７１Ｈの撓み誘導面７４が本係止誘導面５４に近接して配されることで、第２ホルダ６０の上方への移動が制限された状態になる。これにより、仮係止位置に配された第２ホルダ６０が固定される。このとき、上側閉塞部６３および下側閉塞部６４はともに第１貫通孔４１から退避して配され、第１貫通孔４１の全体が後方に開放されている。また、第２ホルダ６０の突出部６６が下側に突出した状態になっている。
【００４０】
次いで、電線Ｗの端末部に固着された端子金具８０をハウジング２０に収容する。ハウジング２０の上段のキャビティ２２に対しては、後方に開放された上側貫通孔４１Ｕからシール孔３２に順に貫通させて挿入し、下端のキャビティ２２に対しては、第２貫通孔６２から下側貫通孔４１Ｓそしてシール孔３２に順に貫通させて挿入する。このとき、第１貫通孔６２は全体が開放されているから、端子金具８０をスムーズに挿入することができる。そして、キャビティ２２に挿入された端子金具８０は、樹脂ランス２４が端子本体部８３に係止するとともにスタビライザ８４がストッパ２３に当接することで挿抜両方向への移動を制限された状態に保持される。
【００４１】
次に、第２ホルダ６０を本係止位置に移動させる（図２参照）。第２ホルダ６０を上側に押し込むと、本係止爪７１Ｈの撓み誘導面７４が本係止誘導面５４に突き当たって、その傾斜によって比較的スムーズに係止片６８が内側に弾性撓みする。そして、第２ホルダ６０が本係止位置に至ると、係止片６８が外側に弾性復帰して本係止爪７１Ｈが本係止受け部５３に係止することで、第２ホルダ６０の下方への変位が制限される。また、ホルダ本体部６１の上面である上側変位制限部６５が仕切壁突部４７および外壁突部４８の下端に当接することで、第２ホルダ６０の上方への変位が制限される。こうして、第２ホルダ６０は本係止位置に固定される。
【００４２】
このとき、第１貫通孔４１は、上側閉塞部６３および下側閉塞部６４によってそれぞれの略下側半分が閉鎖された状態になる。そして、図１に示すように、上側貫通孔４１Ｕを貫通する電線Ｗは、上側貫通孔４１Ｕの上壁面と第２ホルダ６０のホルダ本体部６１の上面（上側変位制限部６５）とによって上下方向の振れが制限され、また、下側貫通孔４１Ｓを貫通する電線Ｗは、下側貫通孔４１Ｓの上壁面と第２貫通孔６２の下壁面とによって上下方向の振れが制限される。そして、第２ホルダ６０の突出部６６はハウジング２０の外周面よりも外側に突出することなく内側に（後方から見るとハウジング２０の後面に全体が重なって）配される。
【００４３】
こうして、サブコネクタＣの組み付け作業が完了する。組み付けられたサブコネクタＣは、図１に示すように、第２ホルダ６０の突出部６６がフレーム１０の嵌合凹部１１の開口周縁部に突き当たることなく嵌合される。
【００４４】
ここで、第２ホルダ６０を本係止位置に移動することを失念してサブコネクタＣを嵌合凹部１１に嵌合しようとする場合がある。このような場合には、図１０および図１１に示すように、突出部６６が嵌合凹部１１の開口周縁部に突き当たって嵌合凹部１１への嵌合が阻まれる。したがって、作業者は第２ホルダ６０を本係止位置に移動することを失念したことに気付くことができる。そして、第２ホルダ６０は確実に本係止位置に移動され、これにより確実に電線Ｗの振れが制限された状態になり、サブコネクタＣは嵌合凹部１１に嵌合される。
【００４５】
次に、上記のように構成された本実施例の作用および効果について説明する。
本実施例のサブコネクタＣは、電線Ｗの端末部に固着された端子金具８０が収容されるとともにフレーム１０の嵌合凹部１１に対してその後側の開口から嵌合されるハウジング２０と、ハウジング２０の後側に装着されてハウジング２０とともに嵌合凹部１１に嵌合し、前後方向に貫通する電線Ｗの外周面に密着するとともに嵌合凹部１１の内周面に密着して嵌合凹部１１の開口を止水するゴム栓３０と、ゴム栓３０の後側に装着され、端子金具８０が前後方向に通過可能な第１貫通孔４１を有し、ハウジング２０およびゴム栓３０とともに嵌合凹部１１に嵌合する第１ホルダ４０と、第１ホルダ４０の後側に装着され、第１貫通孔４１の後端開口を開放して第１貫通孔４１への端子金具８０の挿入を許容するとともに、ハウジング２０よりも外側に突出して嵌合凹部１１への嵌合が阻まれる仮係止位置と、第１貫通孔４１の後端開口を狭めて電線Ｗの振れを制限するとともに、ハウジング２０、ゴム栓３０および第１ホルダ４０とともに嵌合凹部１１に嵌合される本係止位置との間を移動可能とされた第２ホルダ６０と、を備えている。
【００４６】
この構成によれば、第２ホルダ６０が、嵌合凹部１１に嵌合されないことで仮係止位置に配されていることに気づくから、第２ホルダ６０は確実に本係止位置に移動され、本係止位置に配された第２ホルダ６０は第１貫通孔４１の後端開口を狭めて電線Ｗの振れを制限するから、第１貫通孔４１内における電線Ｗの振れを確実に防ぐことができる。
【００４７】
＜他の実施例＞
本発明は上記記述及び図面によって説明した実施例に限定されるものではなく、例えば次のような実施例も本発明の技術的範囲に含まれる。
（１）上記実施例では、防水コネクタが、フレーム１０の嵌合凹部１１に嵌合されるサブコネクタＣである場合について説明したが、これに限らず、本発明は、例えば相手側コネクタと一対一で嵌合されるコネクタにも適用することができる。
（２）上記実施例では、ハウジング２０にキャビティ２２が２段にわけて設けられているが、これに限らず、本発明は、ハウジングにキャビティが１段のみまたは３段以上にわけて設けられているコネクタにも適用することができる。
（３）上記実施例では、本係止位置に保持された第２ホルダ６０のホルダ本体部６１の上面が、すべての仕切壁突部４７および外壁突部４８の下端に当接しているが、これに限らず、それらの一部のみに当接するものとしてもよい。
（４）上記実施例では、第２ホルダ６０には、端子金具８０を前後方向に通過可能な大きさを有する第２貫通孔６２が第１貫通孔４１に対応して設けられているが、これに限らず、必ずしもこのような第２貫通孔を設けなくてもよく、例えば、第２ホルダが、第１貫通孔の一部を閉鎖する上側閉塞部と下側閉塞部とが一つの大きな貫通孔を間にして上下に形成されたものであってもよい。
【符号の説明】
【００４８】
Ｃ…サブコネクタ（防水コネクタ）
Ｗ…電線
１０…フレーム（相手側）
１１…嵌合凹部
２０…ハウジング
３０…ゴム栓
４０…第１ホルダ
４１…第１貫通孔（貫通孔）
６０…第２ホルダ
８０…端子金具
【図１】
2016081665.tif 000003
【図２】
2016081665.tif 000004
【図３】
2016081665.tif 000005
【図４】
2016081665.tif 000006
【図５】
2016081665.tif 000007
【図６】
2016081665.tif 000008
【図７】
2016081665.tif 000009
【図８】
2016081665.tif 000010
【図９】
2016081665.tif 000011
【図１０】
2016081665.tif 000012
【図１１】
2016081665.tif 000013